(57)【特許請求の範囲】
【請求項１】
複数の脚部材により互いに結合された上桁板材と下桁板材とを備えて成り、並列に配置された複数の桁部材と、
該複数の桁部材を結合する複数の横部材と、
を備えるパレットにおいて、
前記脚部材の下部に突出部を形成し、該突出部を前記下桁板材に設けた孔を通して該下桁板材の下側へ突出させると共に、
前記脚部材と下桁板材とが該脚部材の一部で形成されたバネ部を介して結合されていることを特徴とするパレット。
【請求項２】
前記突出部が、前記下桁板材の下面に沿って鉤形に屈曲されていることを特徴とする請求項１に記載のパレット。
【請求項３】
前記鉤形に屈曲された突出部の先端部が鋸歯状に形成されていることを特徴とする請求項２に記載のパレット。
【発明の詳細な説明】
【技術分野】
【０００１】
本発明は、荷物の輸送時や倉庫保管時に、荷物を載せるパレットに関するものである。
【背景技術】
【０００２】
従来、複数の互いに平行な細長い金属製の横材（桁部材）と、上記横部材に略直交し、その上側に位置して、上記横部材に固定された複数の互いに平行な細長い金属製の縦材（横部材）と、上記縦材（横部材）の上面及び上記横材（桁部材）の下面の少なくとも一方に凹凸部を有する滑り止め部材と、を備えた平パレットであって、パレットと荷物の間の滑りを防止乃至抑制し、荷崩れの可能性を小さくしたものが知られている（例えば、特許文献１参照）。
【０００３】
【特許文献１】特開２００３−９５２６９号公報
【発明の開示】
【発明が解決しようとする課題】
【０００４】
しかしながら、上記従来の技術によれば、縦材（横部材）又は横材（桁部材）と別体の滑り止め部材を設けている。そのため、平パレットのコストアップを招いている、という問題があった。
【０００５】
本発明は、上記に鑑みてなされたものであって、パレットと荷物の間の滑りを防止乃至抑制した低コストのパレットを得ることを目的とする。
【課題を解決するための手段】
【０００６】
上述した課題を解決し、目的を達成するために、本発明は、複数の脚部材により互いに結合された上桁板材と下桁板材とを備えて成り、並列に配置された複数の桁部材と、該複数の桁部材を結合する複数の横部材と、を備えるパレットにおいて、前記脚部材の下部に突出部を形成し、該突出部を前記下桁板材に設けた孔を通して該下桁板材の下側へ突出させると共に、前記脚部材と下桁板材とが該脚部材の一部で形成されたバネ部を介して結合されていることを特徴とする。
【発明の効果】
【０００７】
この発明によれば、パレットと荷物の間の滑りを防止乃至抑制した低コストのパレットが得られる、という効果を奏する。
【発明を実施するための最良の形態】
【０００８】
以下に、本発明にかかるパレットの実施の形態を図面に基づいて詳細に説明する。なお、この実施の形態によりこの発明が限定されるものではない。
【０００９】
実施の形態１．
図１は、本発明にかかるパレットの実施の形態１の全体を示す斜視図であり、図２は、図１のＡ部拡大図であり、図３−１は、実施の形態１の脚部材の斜視図であり、図３−２は、脚部材の側面図であり、図３−３は、脚部材の背面図であり、図３−４は、脚部材の下面図であり、図４−１は、実施の形態１のパレットの下桁板材組付け前の状態を示す部分側面図であり、図４−２は、下桁板材組付け後の状態を示す部分側面図であり、図４−３は、下桁板材組付け後の状態を示す部分正面図であり、図４−４は、下桁板材組付け後の状態を示す部分下面図である。
【００１０】
図１及び図２に示すように、実施の形態１のパレット１０は、並列に配置された７枚の板金製の細長い横部材１と、７枚の横部材１と直交するように該横部材１の下側に並列に配置されて溶接結合された５本の板金製の細長い上桁板材２と、横部材１の両端及び中央に溶接結合された３枚の上桁板材２の下側に４個ずつ溶接結合された板金製の角筒状の脚部材４と、脚部材４の下側に溶接結合された３枚の細長い板金製の下桁板材３と、を備えている。４個の脚部材４により互いに結合された上桁板材２と下桁板材３とは、桁部材５を構成している。
【００１１】
横部材１、上桁板材２及び下桁板材３は、横断面が矩形波状の波型鋼板であって、帯状の鋼板にロールフォーミングを行なうことにより形成されている。図３−１〜図３−４に示すように、脚部材４は、略コ型に折り曲げ形成された２枚の鋼板の両縁部同士を重ね合せ、重ね合せ部４ｂをスポット溶接することにより角筒状に形成されている。脚部材４の４隅には、上桁板材２及び下桁板材３の幅方向に突出する凸条４ａが形成されている。
【００１２】
脚部材４の正面板４ｃ及び背面板４ｄの上部及び下部の中央部は、夫々外側に直角に屈曲され、上フランジ４ｅ及び下フランジ４ｆを形成している。脚部材４の両側板（重ね合せ部４ｂを含む）４ｇ及び凸条４ａの上部は、上桁板材２の波型の高さ分だけ上フランジ４ｅよりも上方へ突出し、上差込み部４ｈ、４ｉを形成している。
【００１３】
脚部材４の凸条４ａの下部は、下桁板材３の波型の高さ分だけ下フランジ４ｆよりも下方へ突出し、下差込み部４ｊを形成している。脚部材４の重ね合せ部４ｂ以外の両側板４ｇの下部は、下差込み部４ｊよりも下方へ突出し、下桁板材３の下側へ突出する突出部４ｋを形成している。
【００１４】
次に、図１及び図１〜図４−４を参照して実施の形態１のパレットの組立方法を説明する。図１に示すように、並列に等間隔に配置された５本の上桁板材２の上に、直交するように７本の横部材１を配置し（２本の横部材１は上桁板材２の両端に、５本の横部材１は上桁板材２の中央部に所定の間隔で配置する。）、波型の接触する面同士をスポット溶接により結合する。
【００１５】
次に、図４−１及び図４−３に示すように、両側部及び中央の上桁板材２の波型の側方の溝２ａに、脚部材４の上差込み部４ｈ、４ｉを差込み、脚部材４の上フランジ４ｅを上桁板材２の波型の山に当接させ、脚部材４と上桁板材２の接触部を溶接して両者を結合する。
【００１６】
次に、図４−２〜図４−４に示すように、両側部及び中央の下桁板材３の波型の側方の溝３ａに、脚部材４の下差込み部４ｊを差込み、脚部材４の突出部４ｋを下桁板材３に設けたスリット（孔）３ｂを通して下桁板材３の下側へ突出させ、脚部材４の下フランジ４ｆを下桁板材３の波型の山に当接させ、脚部材４と下桁板材３の接触部を溶接して両者を結合する。以上により、実施の形態１のパレット１０が完成する。
【００１７】
実施の形態１のパレット１０によれば、脚部材４のエッジ状の突出部４ｋが、下桁板材３の下側へ突出しているので、パレット１０の上に段ボール箱等で梱包した荷物を載置してコンテナに載せ、その段ボール箱等の上に、同様に荷物を載置したパレット１０を積載するようにすれば、エッジ状の突出部４ｋが段ボール箱等に喰い込んでパレット１０の横滑りを防ぎ、コンテナ内での荷崩れを防止することができる。
【００１８】
従って、荷物とコンテナとの間の隙間に荷崩れ防止用の緩衝材（エアバッグ）等をはさむ必要がなく、輸送コストの低減、積載作業時間の短縮、廃棄物の削減を図ることができる。また、別体の滑り止め部材を設けずに、脚部材４の一部を滑り止め部材として活用しているので、パレット１０を低コストで製造することができる。
【００１９】
実施の形態２．
図５−１は、本発明にかかるパレットの実施の形態２を示す部分正面図であり、図５−２は、実施の形態２のパレットの部分下面図である。実施の形態２のパレット２０は、図５−１及び図５−２に示す脚部材４の突出部２４ｋの形態のみが、実施の形態１のパレット１０と異なっているので、異なる部分について説明し、他の部分の説明は省略する。
【００２０】
図５−１及び図５−２に示すように、実施の形態２の突出部２４ｋは、実施の形態１の突出部４ｋよりも長く形成され、下桁板材３に設けたスリット（孔）３ｂに挿通された後、下桁板材３の波型の側方の溝３ａの下面に沿って外側に鉤形に屈曲されている。
【００２１】
実施の形態２のパレット２０によれば、脚部材４の突出部２４ｋが、下桁板材３の波型の側方の溝３ａの下面に沿って外側に鉤形に屈曲されているので、パレット２０の上に段ボール箱等で梱包した荷物を載置してコンテナに載せ、その段ボール箱等の上に、同様に荷物を載置したパレット２０を積載するようにすれば、突出部２４ｋがその板厚分だけ段ボール箱等に喰い込んでパレット２０の横滑りを防ぎ、コンテナ内での荷崩れを防止することができる。
【００２２】
従って、荷物とコンテナとの間の隙間に荷崩れ防止用の緩衝材（エアバッグ）等をはさむ必要がなく、輸送コストの低減、積載作業時間の短縮、廃棄物の削減を図ることができる。また、板厚分だけ段ボール箱等に喰い込むので、段ボール箱等が破れ難い。また、別体の滑り止め部材を設けずに、脚部材４の一部を滑り止め部材として活用しているので、パレット２０を低コストで製造することができる。
【００２３】
実施の形態３．
図６−１は、本発明にかかるパレットの実施の形態３を示す部分正面図であり、図６−２は、実施の形態３のパレットの部分下面図である。実施の形態３のパレット３０は、図６−１及び図６−２に示す脚部材４の突出部３４ｋの形態のみが、実施の形態１のパレット１０と異なっているので、異なる部分について説明し、他の部分の説明は省略する。
【００２４】
図６−１及び図６−２に示すように、実施の形態３の突出部３４ｋは、実施の形態１の突出部４ｋよりも長くされ、先端部が鋸歯状に形成され、下桁板材３に設けたスリット（孔）３ｂに挿通された後、下桁板材３の波型の側方の溝３ａの下面に沿って外側に鉤形に屈曲されている。
【００２５】
実施の形態３のパレット３０によれば、脚部材４の突出部３４ｋが、下桁板材３の波型の側方の溝３ａの下面に沿って外側に鉤形に屈曲され、先端部が鋸歯状に形成されているので、パレット３０の上に段ボール箱等で梱包した荷物を載置してコンテナに載せ、その段ボール箱等の上に、同様に荷物を載置したパレット３０を積載するようにすれば、突出部３４ｋがその板厚分だけ段ボール箱等に喰い込むとともに、鋸歯状に喰い込むので、パレット１０の前後左右の横滑りを効果的に防止し、コンテナ内での荷崩れを防止することができる。
【００２６】
従って、荷物とコンテナとの間の隙間に荷崩れ防止用の緩衝材（エアバッグ）等をはさむ必要がなく、輸送コストの低減、積載作業時間の短縮、廃棄物の削減を図ることができる。また、別体の滑り止め部材を設けずに、脚部材４の一部を滑り止め部材として活用しているので、パレット３０を低コストで製造することができる。
【００２７】
実施の形態４．
図７−１は、本発明にかかるパレットの実施の形態４を示す部分斜視図であり、図７−２は、実施の形態４のパレットの部分正面図であり、図７−３は、実施の形態４のパレットの部分側面図であり、図７−４は、実施の形態４のパレットの部分下面図である。実施の形態４のパレット４０は、図７−１〜図７−３に示す脚部材４の下フランジ４４ｆの形態のみが、実施の形態１のパレット１０と異なっているので、異なる部分について説明し、他の部分の説明は省略する。
【００２８】
図７−１〜図７−４に示すように、脚部材４の正面板４ｃ及び背面板４ｄの下部の中央部は、夫々外側に屈曲されて下フランジ４４ｆを形成している。下フランジ４４ｆは、下フランジ４４ｆの付け根部が斜め下向きに屈曲されたバネ部４４ｆａと、中間部から先が水平に屈曲された取付部４４ｆｂとを有している。取付部４４ｆｂが下桁板材３に溶接される。すなわち、脚部材４と下桁板材３とは、脚部材４の一部で形成されたバネ部４４ｆａを介して結合されている。
【００２９】
実施の形態４のパレット４０の他の部分の構造は、実施の形態１のパレット１０と同じである。なお、図示はしないが、突出部４ｋを実施の形態２の突出部２４ｋの形態や、実施の形態３の突出部３４ｋの形態としてもよい。実施の形態４のパレット４０は、脚部材４が、下フランジ４４ｆのバネ部４４ｆａに支持されて下桁板材３上に浮いているので、パレット４０に載置された荷物の重量に応じて突出部４ｋ（２４ｋ、３４ｋ）の下桁板材３の下側への突出量が増大する。
【００３０】
実施の形態４のパレット４０によれば、脚部材４の突出部４ｋ（２４ｋ、３４ｋ）の突出量が、パレット４０に載置された荷物の重量に応じて増大するので、荷物の重量が重いほど、突出部４ｋ（２４ｋ、３４ｋ）の段ボール箱等への喰い込み量が増大し、パレット４０の前後左右の横すべりを効果的に防止し、コンテナ内での荷崩れを防止することができる。
【００３１】
従って、荷物とコンテナとの間の隙間に荷崩れ防止用の緩衝材（エアバッグ）等をはさむ必要がなく、輸送コストの低減、積載作業時間の短縮、廃棄物の削減を図ることができる。また、別体の滑り止め部材を設けずに、脚部材４の一部を滑り止め部材及びバネ部として活用しているので、パレット４０を低コストで製造することができる。
【産業上の利用可能性】
【００３２】
以上のように、本発明にかかるパレットは、低コストなコンテナ輸送用パレットとして有用である。
【図面の簡単な説明】
【００３３】
【図１】本発明にかかるパレットの実施の形態１の全体を示す斜視図である。
【図２】図１のＡ部拡大図である。
【図３−１】実施の形態１の脚部材の斜視図である。
【図３−２】脚部材の側面図である。
【図３−３】脚部材の背面図である。
【図３−４】脚部材の下面図である。
【図４−１】実施の形態１のパレットの下部桁材組付け前の状態を示す部分側面図である。
【図４−２】下部桁材組付け後の状態を示す部分側面図である。
【図４−３】下部桁材組付け後の状態を示す部分正面図である。
【図４−４】下部桁材組付け後の状態を示す部分下面図である。
【図５−１】本発明にかかるパレットの実施の形態２を示す部分正面図である。
【図５−２】実施の形態２のパレットの部分下面図である。
【図６−１】本発明にかかるパレットの実施の形態３を示す部分正面図である。
【図６−２】実施の形態３のパレットの部分下面図である。
【図７−１】本発明にかかるパレットの実施の形態４を示す部分斜視図である。
【図７−２】実施の形態４のパレットの部分正面図である。
【図７−３】実施の形態４のパレットの部分側面図である。
【図７−４】実施の形態４のパレットの部分下面図である。
【符号の説明】
【００３４】
１  横部材
２  上桁板材
２ａ，３ａ  溝
３  下桁板材
３ｂ  スリット（孔）
４  脚部材
４ａ  凸条
４ｂ  重ね合せ部
４ｃ  正面板
４ｄ  背面板
４ｅ  上フランジ
４ｆ，４４ｆ  下フランジ
４４ｆａ  バネ部
４４ｆｂ  取付部
４ｇ  側板
４ｈ，４ｉ  上差込み部
４ｊ  下差込み部
４ｋ，２４ｋ，３４ｋ  突出部
５  桁部材
１０，２０，３０，４０  パレット
【図１】
0005014024.tif 000002
【図２】
0005014024.tif 000003
【図３−１】
0005014024.tif 000004
【図３−２】
0005014024.tif 000005
【図３−３】
0005014024.tif 000006
【図３−４】
0005014024.tif 000007
【図４−１】
0005014024.tif 000008
【図４−２】
0005014024.tif 000009
【図４−３】
0005014024.tif 000010
【図４−４】
0005014024.tif 000011
【図５−１】
0005014024.tif 000012
【図５−２】
0005014024.tif 000013
【図６−１】
0005014024.tif 000014
【図６−２】
0005014024.tif 000015
【図７−１】
0005014024.tif 000016
【図７−２】
0005014024.tif 000017
【図７−３】
0005014024.tif 000018
【図７−４】
0005014024.tif 000019